(57)【要約】【課題】  バストへの圧迫や締め付けがなく、バストアップ効果を図ることができると共に、着用すると背筋が伸びて猫背や背骨のゆがみをなくし自然と姿勢が良くなるバスト補整機能を備えた成型編みインナーを提供すること。【解決手段】  縦、横方向に伸びて身体にフィットする成型編のインナーであって、前身頃３の胸部分を、弱・中・強パワー領域部を段階的に設ける。弱パワー領域部６ａと中パワー領域部６ｂの中央部縦方向にシャーリング加工８が施されている。強パワー領域部６ａの帯状編地がアンダーバスト部に位置し、その帯状編地の両側部はネックライン２とアームホールライン７の間から左右肩部に達し、後身頃４において右肩部から左側部斜めに延びる帯状編地と、左肩部から右側部斜めに延びる帯状編地がＸ状に交差する。その左右側部と連設する横帯状編地が編成されている。【選択図】    図１
0003115670.tif 000002
【実用新案登録請求の範囲】
【請求項１】
縦、横方向に伸びて身体にフィットする成型編のインナーであって、前身頃の胸部分を、弱・中・強パワー領域部を段階的に設け、弱パワー領域部と中パワー領域部の中央部縦方向にシャーリング加工が施されており、強パワー領域部の帯状編地がアンダーバスト部に位置し、その帯状編地の両側部はネックラインとアームホールラインの間から左右肩部に達し、後身頃において右肩部から左側部斜めに延びる帯状編地と、左肩部から右側部斜めに延びる帯状編地がＸ状に交差し、その左右側部と連設する横帯状編地が編成されていることを特徴とするバスト補整機能を備えた成型編みインナー。
【請求項２】
後身頃に編成されたＸ状の帯状編地以外が中パワー領域部で編成されている請求項１に記載のバスト補整機能を備えた成型編みインナー。
【請求項３】
袖の内側面を外側面より面圧を大にしてある請求項１または２に記載のバスト補整機能を備えた成型編みインナー。
【考案の詳細な説明】
【技術分野】
【０００１】
本考案は、成型編機で編まれた女性用の上半身用のインナーに関するものであり、さらに詳しくは、ソフトな着用感が得られ美しいバストシルエットを造ることができると共に、背筋が伸びた正しい姿勢になる補整機能を備えたインナーに関するものである。
【背景技術】
【０００２】
従来から、補整機能を有するインナーとしては、胸部を美しく見せるブラジャー、腹部・臀部・大腿部を補整して美しく見せるガードル、胸部・腹部・臀部・大腿部を補整して美しく見せるボディスーツ、腹部・臀部・脚部を補整して美しく見せるパンティーストッキングなどがある。
【０００３】
胸部を美しく見せるブラジャーの一つに、緯編機により筒状に編成してカップ布部、フロント部、脇布部などブラジャーを構成する編地を一連に編成した締め付け感の強くない着心地の良いブラジャーが知られている。
【０００４】
上記のブラジャーは、伸縮性良好で締め付けによる圧迫感は少ないが、全体として伸縮性が大きいため、脇回り周辺に対する適合性、いわゆるフィット感が良くなく、またソフトブラジャーの下縁がみぞおち周辺までしかないため、身体の動きに従って次第にずれ上がる問題がある。
【０００５】
そのため、例えば、メリヤス地の編み立て段階において、各部位に応じて編み密度および編み組織の切り替え、糸の太さ変更を行って所定のパワーおよび伸縮性を持たせ、着用者のバストにフィットして着心地の良い且つ成型効果が高くて、縫製作業が簡略化されたブラジャー、スリップ、シャツなどのトップ下着が知られている。（例えば、特許文献１）
【特許文献１】実用新案登録第２５２１０８３号
【考案の開示】
【考案が解決しようとする課題】
【０００６】
しかしながら、上記のブラジャーは、バスト部に対応する位置に、編目ループの形を拡大した高密度編目域を一体に編成することによって凸面状カップ部を形成して、カップ部の形状と伸縮性の増大とによって、各人まちまちな形をしたバストにぴったりフィットするが、身体を動かした時にバストが下方に垂れたり、脇側へ流れバストを形よく整えてバストアップやシルエットを美しくすることができないと言った問題点があった。
【０００７】
本考案は上記の問題点を解決することを課題として研究開発されたもので、バストへの圧迫や締め付けがなく、バストアップ効果を図ることができると共に、着用すると背筋が伸びて猫背や背骨のゆがみをなくし自然と姿勢が良くなるバスト補整機能を備えた成型編みインナーを提供することを目的とするものである。
【課題を解決するための手段】
【０００８】
上記の課題を解決し、その目的を達成する手段として、本考案では、縦、横方向に伸びて身体にフィットする成型編のインナーであって、前身頃の胸部分を、弱・中・強パワー領域部を段階的に設け、弱パワー領域部と中パワー領域部の中央部縦方向にシャーリング加工が施されており、強パワー領域部の帯状編地がアンダーバスト部に位置し、その帯状編地の両側部はネックラインとアームホールラインの間から左右肩部に達し、後身頃において右肩部から左側部斜めに延びる帯状編地と、左肩部から右側部斜めにかけて延びる帯状編地がＸ状に交差し、その左右下側部と連設する横帯状編地が編成されていることを特徴とするバスト補整機能を備えた成型編みインナーを開発し、採用した。
【０００９】
また、上記のバスト補整機能を備えた成型編みインナーにおいて、後身頃に編成されたＸ状の帯状編地以外が中パワー領域部で編成されているバスト補整機能を備えた成型編みインナー、および袖の内側面を外側面より面圧を大にしてあるバスト補整機能を備えた成型編みインナーを開発し、採用した。
【考案の効果】
【００１０】
成型編機で編まれたインナーであるから、ソフトで縦、横方向に伸びて身体にピッタリとフィットしてバストへの圧迫感および締め付け感などなく着用感の良いインナーが得られる。また、前身頃の胸部分の強パワー領域部がアンダーバスト部に位置するから、バストの下部を支持すると共に、バスト両側部も強パワー領域部によって脇側に流れるのを防いで支持し前中心部に寄せて上げることにより、バストアップを図ると共に、中・弱パワー領域部によってバストの膨らみに応じて生地が伸縮しボリュームを潰すことがなくなり、美しいバストシルエットが造られる。
【００１１】
また、後身頃では強パワー領域部の帯状編地が後面中央で交差しＸ状に形成されているから、その伸縮力により背筋が伸ばされ胸部が張り自然とバストが上向きになると共に、猫背や背骨の歪みを矯正して正しいし姿勢になる。
【００１２】
さらに、袖の内側面を外側面より面圧を大にしてあるから、皮下脂肪がついて太くなった二の腕のタルミを引き締めることにより、細く見せることができてスマートになる。
【考案を実施するための最良の形態】
【００１３】
以下に、本考案の第１実施の形態を添付図面の図１〜図３に基づいて説明すれば、１は成型編機で編成された長袖のアンダーシャツ本体であり、比較的大きく開口する略Ｕ字状のネックライン２が設けられてあり、胸部から腹部を覆う前身頃３と背中部から腰部を覆う後身頃４と肩部と腕部を覆う左右一対の袖部５から構成されている。
【００１４】
６は胸部分に設けたバスト対応部位で、このバスト対応部位６は、段階的にパワーを変えて立体的に編成してある。すなわち、下方から順次、強パワー領域部６ａ、中パワー領域部６ｂ、弱パワー領域部６ｃに編成してある。ここで言うパワーとは、締め付け力、締め付け圧等を言い、パワーの大小については、編組織を変えるとか、弾性糸の打ち込み本数を変えたり、糸の太さを変えたりすることによって可能であり適宜の手段を採用する。
【００１５】
強パワー領域部６ａは、アンダーバストの位置になるように前身頃３の横幅の略全面に達する５ｃｍ幅の帯状編地で、その両側部をネックライン２とアームホールライン７の間から左右の肩部に達し、さらに後身頃４において、右肩部から左側部斜め下にかけて延びおよび左肩部から右側部斜め下にかけて延び中央部で交差するＸ状に編成されている。すなわち、前身頃３のバスト部の下部と側部を強パワー領域部６ａとすると共に、上方へ引き上げられるように一体化した編地でありバストを下部と側部からリフトアップする。
【００１６】
中パワー領域部６ｂは、前身頃３において、前述の強パワー領域部６ａの上部に連設すると共に、弱パワー領域部６ｃの間に介在した細幅の編地であり、強パワー領域部６ａと弱パワー領域部６ｃを馴染ませる。また、後身頃４においては、Ｘ状の帯状編地以外が中パワー領域部６ｂに形成されている。
【００１７】
弱パワー領域部６ｃは、持ち上げたバストを潰すことがないように、ふんわりとしたフィットする編地であり、８は中パワー領域部６ｃと弱パワ領域部６ｃの中央部縦方向に施されたシャーリング部で、着用した際に、シャーリング部８によって被着者のバストにピッタリとフィットする。また、前身頃３と後身頃４の裾部３ａ、４ａはパワー切り替えて捲くれ上がらないようにしてある。
【００１８】
袖部５としては、手首まで達する長袖を示しているが、必要により七分袖、半袖などでもよく、袖部５の外側面５ａと内側面５ｂの着圧を変えてある。すなわち、内側面５ｂの着圧を前述の中パワー編地６ｂとする一方、外側面５ａはそれより弱い着圧になるように編成されている。
【００１９】
このように構成した本考案の第１実施の形態に基づいて、その使用状態を作用、効果と共に説明すると、ブラジャーを着用してこのアンダーシャツ本体１を着用すると、アンダーバスト部に強パワー領域部６ａの帯状編地が位置することになり、下方から支えると共に、バスト側部においても、強パワー領域部６ａの帯状編地で支持して脇方向への広がりを防いで前中心部に寄せて上げることができバストアップできる。
【００２０】
また、強パワー領域部６ａと、弱パワー領域部６ｃとの間に介在する中パワー領域部６ｂとによって、上下の領域部編地を馴染ませバストのボリュームに応じて伸縮するとともに、中パワー領域部６ｃと弱パワー領域部６ｃの中央部に施されたシャーリング部８でバストを包むようにフィットする。
【００２１】
さらに、袖部５の内側面５ｂの面圧を外側面５ａの面圧より強くしてあることから、着用していれば、皮下脂肪の付きやすい二の腕をソフトな引き締めにより細く見せることができると共に、前身頃３の腹部を中パワー領域部６ｂに編成すれば、腹部を程好いパワーで抑えることにより突出を防ぐことができる。また、前身頃３と後身頃４の裾部３ａ、４ａはパワーを切り替えてあるから捲くれ上がることがない。
【００２２】
一方、後身頃４に編成されたＸ状強パワー領域部６ａの帯状編地の伸縮性によって、背中部が上下部および左右部に引っ張られて背筋が伸びると共に胸部も拡がり、それによってバストアップを助長するものである。
【００２３】
つぎに、図４〜図６に示すのは第２実施の形態を示すもので、上記第１実施の形態では、長袖５を有するアンダーシャツ１であったが、この第２実施の形態では、袖を有しないタンクトップ１１とした点のみ相違しており、その他の形状、構造および作用効果は何ら相違しないことから、同一部分には同一符号を付して説明は省略した。
【００２４】
以上、本考案の主要な実施の形態で説明したが、本考案は必ずしも上記実施例に限定されるものでなく、本考案の目的を達成でき、かつ考案の要旨を逸脱しない範囲内で種々設計変更が可能であり、それらも全て本考案の範囲内に包含されるものである。
【産業上の利用可能性】
【００２５】
以上のように、本考案のバスト補整機能を備えた成型編みインナーは、長袖、七分袖、半袖のアンダーシャツだけでなく、袖なしのタンクトップ、ブラジャー、ブラスリップ、ボディスーツなど補整用婦人衣類として有用である。
【図面の簡単な説明】
【００２６】
【図１】本考案の第１実施の形態を示す長袖アンダーシャツの正面図である。
【図２】本考案の第１実施の形態を示す長袖アンダーシャツの背面図である。
【図３】本考案の第１実施の形態を示す長袖アンダーシャツの側面図である。
【図４】本考案の第２実施の形態を示すタンクトップの正面図である。
【図５】本考案の第２実施の形態を示すタンクトップの背面図である。
【図６】本考案の第２実施の形態を示すタンクトップの側面図である。
【符号の説明】
【００２７】
１    アンダーシャツ本体
２    ネックライン
３    前身頃
４    後身頃
５    袖部
６    バスト対応部位
７    アームホールライン
８    シャーリング部
１１  タンクトップ
【図１】
0003115670.tif 000003
【図２】
0003115670.tif 000004
【図３】
0003115670.tif 000005
【図４】
0003115670.tif 000006
【図５】
0003115670.tif 000007
【図６】
0003115670.tif 000008